(57)【特許請求の範囲】
【請求項１】
上部に開口端を有し、内部に被収容物を収容可能なパッケージ本体、及び前記開口端の縁部にヒンジを介して回動可能に連結されて前記開口端を開閉する蓋部と、を備えたヒンジリッド付き箱型パッケージを収納する収納ケースであって、
前記収納ケースは、
底面壁と、該底面壁から立設すると共に内側に前記パッケージを収納する収納部を形成する角筒壁体と、該角筒壁体の上端縁に形成されると共に前記パッケージを挿入可能な挿入口と、を有し、
前記収納部からの前記パッケージの抜け出しを規制する抜け出し規制部が前記挿入口に付設されており、
前記抜け出し規制部は、前記挿入口の有効断面が狭まるように前記角筒壁体から内側に向かって突出した凸状姿勢と前記挿入口の有効断面が広がるように前記角筒壁体に沿った平坦姿勢との間で姿勢を切り替え可能であり、前記凸状姿勢のときに前記収納部からの前記パッケージの抜け出しを規制し、前記平坦姿勢のときに前記収納部からの前記パッケージの抜け出しを許容する、
ヒンジリッド付き箱型パッケージの収納ケース。
【請求項２】
前記抜け出し規制部は、第１折り込み線を介して接続される被押圧部および係止部を含み、前記被押圧部が第２折り込み線を介して前記挿入口の縁部に接続されており、
前記挿入口から挿入される前記パッケージによって前記被押圧部が押圧されると、前記抜け出し規制部が前記凸状姿勢から前記平坦姿勢に切り替わり、
前記収納部に前記パッケージが収納されて前記被押圧部の押圧状態が解除されると、前記抜け出し規制部が前記平坦姿勢から前記凸状姿勢に切り替わると共に前記係止部が前記パッケージを係止する、
請求項１に記載のヒンジリッド付き箱型パッケージの収納ケース。
【請求項３】
上部に開口端を有し、内部に被収容物を収容可能なパッケージ本体、及び前記開口端の縁部にヒンジを介して回動可能に連結されて前記開口端を開閉する蓋部と、を備えたヒンジリッド付き箱型パッケージを収納する収納ケースであって、
前記収納ケースは、
底面壁と、該底面壁から立設すると共に内側に前記パッケージを収納する収納部を形成
する角筒壁体と、該角筒壁体の上端縁に形成されると共に前記パッケージを挿入可能な挿入口と、を有し、
前記収納部からの前記パッケージの抜け出しを規制する抜け出し規制部が前記挿入口に付設されており、
一端側が前記抜け出し規制部に接続されると共に他端側が前記収納部内に挿入され、且つ、前記抜け出し規制部を操作するための操作部を含むシート部材を更に備え、
前記角筒壁体又は前記底面壁には、前記シート部材の前記操作部を外部に露出させるための操作部露出用窓が形成されている、
ヒンジリッド付き箱型パッケージの収納ケース。
【請求項４】
前記操作部は、前記収納部側から前記操作部露出用窓を塞ぐように重ねられる前記シート部材に設けられる切り込みによって形成される舌片状フラップであり、
前記切り込みの位置は前記操作部露出用窓の縁部近傍に配置されている、
請求項３に記載のヒンジリッド付き箱型パッケージの収納ケース。
【請求項５】
前記操作部露出用窓は、前記角筒壁体に設けられる切り込みによって形成される第２の舌片状フラップを前記収納部側に折り返すことで形成されており、
前記収納部側に折り返された前記第２の舌片状フラップが、前記操作部を形成する前記シート部材側に設けられる前記切り込みに係合することで、前記シート部材のスライド移動量が所定範囲に制限されている、
請求項４に記載のヒンジリッド付き箱型パッケージの収納ケース。
【請求項６】
前記角筒壁体又は前記底面壁には、前記収納部に収納されている前記パッケージの外面を外部に露出させるパッケージ露出用窓が形成されている、
請求項１から５の何れか一項に記載のヒンジリッド付き箱型パッケージの収納ケース。
【発明の詳細な説明】
【技術分野】
【０００１】
本発明は、ヒンジリッド付き箱型パッケージを収納する収納ケースに関する。
【背景技術】
【０００２】
従来、たばこ商品等の被収容物を収容するパッケージとして、ヒンジを介してパッケージ本体に開閉自在に連結された蓋部を備えたヒンジリッド付きボックス型パッケージが知られている。この種のヒンジリッド付きボックス型パッケージは、通常、シガレット束を収容するパッケージ本体と、パッケージ本体の上部に形成される開口端を開閉するための蓋部が、開口端の縁部に沿って形成されるヒンジを介して回動自在に連結されている。
【先行技術文献】
【特許文献】
【０００３】
【特許文献１】特開２００３−１３５０４８号公報
【発明の概要】
【発明が解決しようとする課題】
【０００４】
ヒンジリッド付き箱型パッケージは、上記のようにヒンジを介してパッケージ本体と蓋部とを回動自在に連結する機構を採用するため、蓋部が不用意に開放され易いという課題を有する。したがって、例えば鞄やポケットの中で不用意に蓋部が開放される等して、パッケージ本体に収容されている被収容物が外部にこぼれ落ちる虞があった。例えば、ヒンジリッド付き箱型パッケージをシガレットパッケージとして用いる場合、蓋部が不用意に開放されることで、シガレットのたばこ刻が外部にこぼれ落ちたり、シガレットが抜け落ちたりする虞があった。【０００５】
本発明は、上記した実情に鑑みてなされてものであって、その目的は、ヒンジリッド付き箱型パッケージの蓋部が不用意に開放することを抑制可能な収納ケースを提供することにある。
【課題を解決するための手段】
【０００６】
本発明に係るヒンジリッド付き箱型パッケージの収納ケースは、上記課題を解決するために、パッケージを挿入可能な挿入口に、収納部からのパッケージの抜け出しを規制する抜け出し規制部を付設するようにした。【０００７】
より詳しくは、本発明は、上部に開口端を有し、内部に被収容物を収容可能な箱状のパッケージ本体、及び前記開口端の縁部にヒンジを介して回動可能に連結されて前記開口端を開閉する蓋部材と、を備えたヒンジリッド付き箱型パッケージを収納する収納ケースであって、前記収納ケースは、底面壁と、該底面壁から立設すると共に内側に前記パッケージを収納する収納部を形成する角筒壁体と、該角筒壁体の上端縁に形成されると共に前記パッケージを前記パッケージ本体の底壁側から挿入可能な挿入口と、を有し、前記収納部からの前記パッケージの抜け出しを規制する抜け出し規制部が前記挿入口に付設されていることを特徴とする。【０００８】
本発明によれば、角筒壁体の挿入口に付設された抜け出し規制部によって、収納部から不用意にパッケージが抜け出すことを抑制できる。したがって、パッケージの蓋部が不用意に開くことを抑制できる。【０００９】
また、前記抜け出し規制部は、前記挿入口の有効断面が狭まるように前記角筒壁体から内側に向かって突出した凸状姿勢のときに前記収納部からの前記パッケージの抜け出しを規制し、前記挿入口の有効断面が広がるように前記角筒壁体に沿った平坦姿勢のときに前記収納部からの前記パッケージの抜け出しを許容してもよい。このような構成によって、収納部に収容されているパッケージの抜け出しを好適に抑制できる。【００１０】
また、前記抜け出し規制部は、第１折り込み線を介して接続される被押圧部および係止部を含み、前記被押圧部が第２折り込み線を介して前記挿入口の縁部に接続されており、前記挿入口から挿入される前記パッケージによって前記被押圧部が押圧されると、前記抜け出し規制部が前記凸状姿勢から前記平坦姿勢に切り替わり、前記収納部に前記パッケージが収納されて前記被押圧部の押圧状態が解除されると、前記抜け出し規制部が前記平坦姿勢から前記凸状姿勢に切り替わると共に前記係止部が前記パッケージを係止するように構成されてもよい。【００１１】
また、収納ケースは、一端側が前記抜け出し規制部に接続されると共に他端側が前記収納部内に挿入され、且つ、前記抜け出し規制部を操作するための操作部を含むシート部材を更に備え、前記角筒壁体又は前記底面壁には、前記シート部材の前記操作部を外部に露出させるための操作部露出用窓が形成されていてもよい。これによれば、操作部露出用窓を通じて操作部にアクセスし、操作部を介して抜け出し規制部の姿勢を好適に切り替えることができる。【００１２】
また、前記操作部は、前記収納部側から前記操作部露出用窓を塞ぐように重ねられる前記シート部材に設けられる切り込みによって形成される舌片状フラップであり、前記切り込みの位置は前記操作部露出用窓の縁部近傍に配置されていてもよい。これによれば、操作部露出用窓を通じて操作部を押した際に、パッケージの外面に対して操作部をフィットさせやくなる。その結果、操作部をスムーズに操作することができ、抜け出し規制部を容易に凸状姿勢から平坦姿勢に切り替えることができる。【００１３】
また、前記操作部露出用窓は、前記角筒壁体に設けられる切り込みによって形成される第２の舌片状フラップを前記収納部側に折り返すことで形成されており、前記収納部側に折り返された前記第２の舌片状フラップが、前記操作部を形成する前記シート部材側に設けられる前記切り込みに係合することで、前記シート部材のスライド移動量が所定範囲に制限されていてもよい。これによれば、抜け出し規制部が凸状姿勢から平坦姿勢へと強制的に切り替えられてしまうことを好適に抑制できる。【００１４】
また、前記角筒壁体又は前記底面壁には、前記収納部に収納されている前記パッケージの外面を外部に露出させるパッケージ露出用窓が形成されていてもよい。この構造によれば、パッケージ露出用窓を通じてパッケージにアクセスすることだき、パッケージを好適に使用することができる。【００１５】
なお、本発明における課題を解決するための手段は、可能な限り組み合わせて採用することができる。
【発明の効果】
【００１６】
本発明によれば、ヒンジリッド付き箱型パッケージの蓋部が不用意に開放することを抑制可能な収納ケースを提供することが可能である。
【図面の簡単な説明】
【００１７】
【図１】図１は、実施形態１に係る収納ケースの斜視図である。
【図２】図２は、実施形態１に係る収納ケースの斜視図である。
【図３】図３は、実施形態１に係るパッケージを示す図である。
【図４】図４は、実施形態１に係るパッケージを示す図である。
【図５】図５は、実施形態１に係るパッケージを収納する前の状態の収納ケースを示す図である。
【図６】図６は、実施形態１に係るパッケージを収納過程にある状態の収納ケースを示す図である。
【図７】図７は、実施形態１に係るパッケージが収納された状態の収納ケースの縦断面図である。
【図８】図８は、実施形態１に係るパッケージを収納過程にある状況の収納ケースの縦断面図である。
【図９】図９は、実施形態１に係る収納ケースの内部構造を説明する分解図である。
【図１０】図１０は、実施形態１に係るパッケージを収納部から引き抜く過程にある状態の収納ケースを示す図である。
【図１１】図１１は、実施形態１に係る収納ケースを形成するブランクを示す図である。
【図１２Ａ】図１２Ａは、実施形態１に係る収納ケースの部分拡大図である。
【図１２Ｂ】図１２Ｂは、実施形態１に係る収納ケースの部分拡大図である。
【図１３】図１３は、変形例１に係る収納ケースを示す図である。
【図１４】図１４は、変形例２に係る収納ケースを示す図である。
【発明を実施するための形態】
【００１８】
ここで、本発明に係るヒンジリッド付き箱型パッケージの収納ケースの実施形態について、図面に基づいて説明する。本実施形態に記載されている構成要素の寸法、材質、形状、その相対配置等は、特に特定的な記載がない限りは、発明の技術的範囲をそれらのみに限定する趣旨のものではない。
【００１９】
＜実施形態１＞
図１および図２は、実施形態１に係る収納ケース１の斜視図である。収納ケース１は、ヒンジリッド付き箱型パッケージ（以下、単に「パッケージ」という）１００を収納するケースである。収納ケース１の内部にはパッケージ１００を収納する収納部が形成されており、図１および図２には、収納ケース１の収納部にパッケージ１００が収納された状態が示されている。本実施形態における収納ケース１は、適所に折り込み線（罫線）を有するブランクを折り込み線に沿って折り込み、組み立てることにより形成されている。ブランクとしては、例えばカード紙やマニラボール紙などの紙材の他、プラスチックやその他の材料を用いてもよい。
【００２０】
図３および図４は、実施形態１に係るパッケージ１００を示す図である。パッケージ１００は、略直方体形状をなした所謂ヒンジ蓋付きボックス型パッケージである。パッケージ１００は、パッケージ本体２００と、パッケージ本体２００にヒンジを介して回動自在に連結される蓋部３００とを含んで構成されている。この蓋部３００は、“リッド”と称呼される場合もある。
【００２１】
図３は、蓋部３００が開放されたパッケージ１００を正面側から眺めた状態を示している。図４は、蓋部３００が閉じられたパッケージ１００を背面側から眺めた斜視図である。パッケージ本体２００は、直方体形状の上端側が斜めに切り欠かれた形状を有する箱体であるアウタボックス２１０と、アウタボックス２１０の開口端に設けられるインナフレーム２２０を備える。パッケージ本体２００のアウタボックス２１０は、前壁２１１、後壁２１２、一対の側壁２１３、底壁２１４を有する。
【００２２】
インナフレーム２２０は、略Ｕ字形状をなした前面フレームと、この前面フレームの両側縁に連結された側面フレームとを有する部材であり、アウタボックス２１０の開口端から部分的に上方へ突出した状態で、アウタボックス２１０の内面に接着されている。インナフレーム２２０は、アウタボックス２１０の開口端を補強するとともに、蓋部３００の開閉を案内するガイドとして機能する。
【００２３】
蓋部３００は、前壁３１１、後壁３１２、一対の側壁３１３、天壁３１４を有している。アウタボックス２１０の後壁２１２の上端と、蓋部３００の後壁３１２の下端はヒンジ４００を介して連結されており、このヒンジ４００を中心に蓋部３００およびアウタボックス２１０が回動自在となっている。
【００２４】
パッケージ本体２００の内部には、被収容物を収容する収容空間が形成されており、本実施形態においては図３に示すインナパック５００が収容されている。インナパック５００は、シガレットの束を、例えば、アルミニウムが蒸着されたアルミニウム蒸着紙からなる内包材によって包んだものである。但し、パッケージ本体２００に収容する被収容物は特に限定されない。
【００２５】
次に、収納ケース１の詳細構造について説明する。図１は、右斜め正面側から眺めた収納ケース１を示している。図２は、左斜め背面側から眺めた収納ケース１を示している。本実施形態における収納ケース１は、上述したパッケージ１００を収納可能な有底角筒形状を有するケースである。より詳しくは、収納ケース１は、底面壁１２と、この底面壁１２から立設すると共に内側にパッケージ１００を収納する収納部を形成する角筒壁体１３とを有する。
【００２６】
収納ケース１の底面壁１２は、パッケージ１００におけるパッケージ本体２００（アウタボックス２１０）の底壁２１４および蓋部３００の天壁３１４と大きさが略等しい矩形状を有している。また、収納ケース１の角筒壁体１３は、前面壁１３１、後面壁１３２、左側面壁１３３ａ、右側面壁１３３ｂから構成されている。ここで、角筒壁体１３における前面壁１３１、後面壁１３２にはそれぞれ操作部露出用窓１５が形成されている。操作部露出用窓１５は、前面壁１３１および後面壁１３２にそれぞれ１つずつ設けられている。図１および図２に示す例では、角筒壁体１３における前面壁１３１および後面壁１３２の中央部近傍に略矩形状の操作部露出用窓１５が設けられている。なお、操作部露出用窓１５の周囲を囲む上縁、下縁、および一対の側縁は、前面壁１３１および後面壁１３２における上縁、下縁、および一対の側縁に対してそれぞれ平行に配置されている。
【００２７】
更に、角筒壁体１３における左側面壁１３３ａおよび右側面壁１３３ｂにはそれぞれパッケージ露出用窓１６が形成されている。図１および図２に示す例では、角筒壁体１３における左側面壁１３３ａおよび右側面壁１３３ｂの中央部近傍に略矩形状のパッケージ露出用窓１６が設けられている。なお、パッケージ露出用窓１６の周囲を囲む上縁、下縁、および一対の側縁は、左側面壁１３３ａおよび右側面壁１３３ｂにおける上縁、下縁、および一対の側縁に対してそれぞれ平行に配置されている。なお、操作部露出用窓１５およびパッケージ露出用窓１６の詳細について後述するが、操作部露出用窓１５は、後述する抜け出し規制部１７を操作するための操作部をアクセス可能に外部に露出させるための開口窓である。また、パッケージ露出用窓１６は、収納部１４に収納された状態のパッケージ１００の外面をアクセス可能に外部に露出させるための開口窓である。
【００２８】
図５は、実施形態１に係るパッケージ１００を収納する前の状態の収納ケース１を示す図である。図６は、実施形態１に係るパッケージ１００を収納過程（途中）にある状態の収納ケース１を示す図である。図６において、パッケージ１００の外形を二点鎖線で示している。底面壁１２および角筒壁体１３によって囲まれた収納ケース１の内部側には、パッケージ１００を収納する収納空間である収納部１４が形成されている。収納ケース１における角筒壁体１３の上端は開口端となっており、この開口端は、パッケージ１００を、パッケージ本体２００（アウタボックス２１０）の底壁２１４側から収納部１４内に挿入可能な挿入口１３ａとして形成されている。
【００２９】
ここで、角筒壁体１３の前面壁１３１および後面壁１３２は幅寸法が互いに等しく、且つ、パッケージ１００の幅寸法と等しいかそれよりも僅かに大きい寸法を有している。また、角筒壁体１３における左側面壁１３３ａおよび右側面壁１３３ｂの幅寸法は互いに等しく、且つ、パッケージ１００の奥行寸法に等しいかそれよりも僅かに大きい寸法を有している。
【００３０】
以下、角筒壁体１３において底面壁１２の法線方向に沿う方向を「高さ方向」とする。また、前面壁１３１、後面壁１３２、左側面壁１３３ａおよび右側面壁１３３ｂの平面内において、その高さ方向と直交する方向を「幅方向」とする。また、角筒壁体１３の高さ寸法を「ケース高さ寸法」と呼ぶ。「ケース高さ寸法」は角筒壁体１３における挿入口１３ａが底面壁１２から離間する寸法に相当する。本実施形態において、収納ケース１のケース高さ寸法は、パッケージ１００の高さ寸法（以下、「パッケージ高さ寸法」ともいう）よりも大きい寸法に設定されている。パッケージ１００の高さ寸法は、パッケージ１００の蓋部３００が閉じた状態において、蓋部３００の天壁３１４がパッケージ本体２００（アウタボックス２１０）の底壁２１４から離間する寸法である。
【００３１】
次に、収納ケース１の抜け出し規制部について説明する。図７は、図１に示す状態、即ち収納部１４にパッケージ１００が収納された状態の収納ケース１の縦断面図である。図７において、パッケージ１００の外形を二点鎖線で示している。図８は、図６に示す状態、即ち収納部１４にパッケージ１００を収納過程にある状況の収納ケース１の縦断面図である。図７および図８は、角筒壁体１３における左側面壁１３３ａおよび右側面壁１３３ｂに平行な切断面に沿った収納ケース１の断面を示している。また、図９は、実施形態１に係る収納ケース１の内部構造を説明する分解図である。なお、図９は、収納ケース１における前面壁１３１側半分の内部構造を示している。なお、収納ケース１における後面壁１３２側の内部構造も、図９に示す前面壁１３１側の内部構造と同一である。
【００３２】
本実施形態における収納ケース１は、収納部１４に収納されたパッケージ１００が不用意に収納部１４から抜け出すことを抑制する抜け出し規制部１７を備えている。抜け出し規制部１７は、角筒壁体１３における挿入口１３ａにそれぞれ付設されている。より詳しくは、角筒壁体１３の挿入口１３ａにおける一対の長辺、即ち前面壁１３１の上端縁１３１ａおよび後面壁１３２の上端縁１３２ａに沿って、それぞれ第１抜け出し規制部１７ａおよび第２抜け出し規制部１７ｂが設けられている。以下、第１抜け出し規制部１７ａおよび第２抜け出し規制部１７ｂを総称する場合には、「抜け出し規制部１７」と呼ぶ。
【００３３】
抜け出し規制部１７（第１抜け出し規制部１７ａ、第２抜け出し規制部１７ｂ）は、第１折り込み線Ｌ１を介して接続される台形状の被押圧部１７１および矩形状の係止部１７２から構成されている。第１抜け出し規制部１７ａにおける被押圧部１７１は、台形の下底に対応する辺が第２折り込み線Ｌ２を介して前面壁１３１の上端縁１３１ａに接続されている。同様に、第２抜け出し規制部１７ｂにおける被押圧部１７１は、台形の一方の底辺が第２折り込み線Ｌ２を介して後面壁１３２の上端縁１３２ａに接続されている。第１抜け出し規制部１７ａの被押圧部１７１は、前面壁１３１の全幅に亘って第２折り込み線Ｌ２を介して上端縁１３１ａと接続されている。同様に、第２抜け出し規制部１７ｂの被押圧部１７１は、後面壁１３２の全幅に亘って第２折り込み線Ｌ２を介して上端縁１３２ａと接続されている。また、本実施形態における抜け出し規制部１７（第１抜け出し規制部１７ａ、第２抜け出し規制部１７ｂ）は、第２折り込み線Ｌ２よりも第１折り込み線Ｌ１の方が短くなっている。即ち、被押圧部１７１は、第２折り込み線Ｌ２側の辺よりも、第１折り込み線Ｌ１側の辺の方が短い台形状を有している。
【００３４】
被押圧部１７１における他方の底辺は、第１折り込み線Ｌ１を介して係止部１７２の一方の長辺と接続されている。また、係止部１７２における他方の長辺には、第３折り込み線Ｌ３を介して矩形状を有するシート状のシート部材１７３の一端側が接続されており、シート部材１７３の他端側は収納部１４内に挿入されている。そして、第１抜け出し規制部１７ａにおけるシート部材１７３は、角筒壁体１３における前面壁１３１の内面に沿って配置されており、底面壁１２に向かって延設されている。また、第２抜け出し規制部１７ｂにおけるシート部材１７３は、角筒壁体１３における後面壁１３２の内面に沿って配置されており、底面壁１２に向かって延設されている。
【００３５】
本実施形態において、抜け出し規制部１７における第１折り込み線Ｌ１〜第３折り込み線Ｌ３は互いに平行関係にある。そして、抜け出し規制部１７において、第２折り込み線Ｌ２を中心として前面壁１３１（後面壁１３２）に対して被押圧部１７１を相対回動させることで、前面壁１３１（後面壁１３２）と被押圧部１７１とがなす角度を変更することができる。また、第１折り込み線Ｌ１を中心として被押圧部１７１および係止部１７２を相対回動させることで、被押圧部１７１と係止部１７２とがなす角度を変更することができる。また、第３折り込み線Ｌ３を中心として係止部１７２およびシート部材１７３を相対回動させることで、係止部１７２とシート部材１７３とがなす角度を変更することができる。
【００３６】
図９に示すように、抜け出し規制部１７（第１抜け出し規制部１７ａ、第２抜け出し規制部１７ｂ）の係止部１７２には、角筒壁体１３における前面壁１３１（後面壁１３２）の幅寸法より僅かに幅が狭い矩形シート状のシート部材１７３が第３折り込み線Ｌ３を介して連結されている。このように、角筒壁体１３における前面壁１３１（後面壁１３２）の上端縁１３１ａ（１３２ａ）に付設された抜け出し規制部１７から延設するシート部材１７３は、挿入口１３ａから収納部１４内に向かって挿入され、前面壁１３１（後面壁１３２）の内面に対向して配置されている。そして、シート部材１７３は、収納ケース１の収納部１４側から前面壁１３１（後面壁１３２）の操作部露出用窓１５を塞ぐように重ねられている。
【００３７】
次に、シート部材１７３の詳細構造について説明する。シート部材１７３は、その一部に、抜け出し規制部１７を操作するための操作部１８を含んでいる。操作部１８は、シート部材１７３に形成された三方の切り込み（スリット）１９によって形成された舌片状フラップとして形成されている。シート部材１７３における操作部１８は、前面壁１３１（後面壁１３２）に設けられた操作部露出用窓１５と重なるように配置されており、これによって収納部１４内に配置されている操作部１８が操作部露出用窓１５を通じてアクセス可能に外部に露出している。より詳しくは、三方の切り込み１９は、操作部露出用窓１５における縁部、具体的には一対の側縁および下縁に沿ってこれらの近傍に配置されている。具体的には、三方の切り込み１９の位置は、前面壁１３１（後面壁１３２）における操作部露出用窓１５の側縁および下縁よりも若干外側の位置にこれらに沿って配置されている。
【００３８】
ここで、角筒壁体１３の前面壁１３１（後面壁１３２）に形成される操作部露出用窓１５は、前面壁１３１（後面壁１３２）に設けられる三方の切り込み２０によって形成される第２の舌片状フラップ２１を収納部１４側に折り返すことで形成されている。ここで、シート部材１７３における三方の切り込み１９は、前面壁１３１（後面壁１３２）における操作部露出用窓１５の側縁および下縁、即ち三方の切り込み２０が形成される位置よりも若干外側の位置に配置されている。本実施形態では、シート部材１７３における三方の切り込み１９と操作部露出用窓１５（三方の切り込み２０）との相対関係を上記のように規定したので、収納部１４側に折り返した第２の舌片状フラップ２１をシート部材１７３における三方の切り込み１９へと容易に挿入することが可能である。つまり、図９に示すように、収納部１４側に折り返された第２の舌片状フラップ２１を、操作部１８を形成するシート部材１７３側に設けられた切り込み１９の下縁に係合させることができる。これによって、シート部材１７３のスライド移動量を所定範囲に制限することができる。
【００３９】
以上のように構成される収納ケース１においては、抜け出し規制部１７が、収納状態にあるパッケージ１００の収納部１４からの抜け出しを規制する凸状姿勢と、パッケージ１００の収納部１４からの抜け出しを許容する平坦姿勢との間で切り替えられるようになっている。
【００４０】
収納ケース１における抜け出し規制部１７の凸状姿勢は、図１、図２、図５、図７、図９等に示すように、第１折り込み線Ｌ１を境に被押圧部１７１と係止部１７２とが相対的に大きく屈曲しており、被押圧部１７１および係止部１７２からなる抜け出し規制部１７が凸状（三角形、山形）となった姿勢である。この凸状姿勢においては、角筒壁体１３における前面壁１３１（後面壁１３２）に対して抜け出し規制部１７が角筒壁体１３の内側に向かって突出しており、挿入口１３ａの有効断面が狭まっている。
【００４１】
本実施形態においては、抜け出し規制部１７の被押圧部１７１が上から押圧され、或いは、操作部１８の押し下げ操作が行われていないときには、素材の反発力、即ち第１折り込み線Ｌ１を境に折り込まれている被押圧部１７１および係止部１７２間の反発力によって、抜け出し規制部１７が凸状姿勢となるようになっている。また、上記のように、収納ケース１におけるケース高さ寸法は、パッケージ高さ寸法よりも大きく設定されており、図７に示すように、収納ケース１の収納部１４にパッケージ１００が収納された状態において、パッケージ１００の頂部高さに対して係止部１７２の高さが等しいか、僅かに高くなるように調節されている。
【００４２】
その結果、パッケージ１００が収納部１４に収納されている状態において、抜け出し規制部１７の係止部１７２がパッケージ１００の頂部を係止し、パッケージ１００が収納部１４から抜け出すことが規制される。なお、収納ケース１の挿入口１３ａにパッケージ１００（パッケージ本体２００）の底壁２１４から挿入され、図７に示すように収納ケース１の底面壁１２にパッケージ１００の底壁２１４が対向している場合には、蓋部３００の天壁３１４がパッケージ１００の頂部に該当し、係止部１７２に天壁３１４が係止されることでパッケージ１００の抜け出しが禁止される。一方、収納ケース１の挿入口１３ａにパッケージ１００（蓋部３００）の天壁３１４から挿入された場合には、逆に、パッケージ本体２００の底壁２１４が凸状姿勢にある抜け出し規制部１７の係止部１７２に該当し、係止部１７２に底壁２１４が係止されることでパッケージ１００の抜け出しが禁止される。
【００４３】
一方、収納ケース１における抜け出し規制部１７が平坦姿勢にあるときは、図６、図８に示すように、被押圧部１７１と係止部１７２とのなす角度が凸状姿勢の状態と比べて相対的に広がっており、抜け出し規制部１７が全体として平坦な姿勢になる。つまり、平坦姿勢においては、角筒壁体１３における前面壁１３１（後面壁１３２）に対して抜け出し規制部１７が沿うことで、挿入口１３ａの有効断面が凸状姿勢の状態と比べて相対的に広がった状態になる。その結果、抜け出し規制部１７が平坦姿勢のときには、収納部１４からのパッケージ１００の抜け出しが許容されることになる。
【００４４】
図１１は、実施形態における収納ケース１を形成するためのブランクＢを示す図である。ブランクＢは、収納ケース１として箱型に折り込む前の展開状態にある板紙材である。図１１に示す破線は折り込み線（罫線）を示しており、この折り込み線（罫線）に沿ってブランクＢを折り込み、適所を接着することで収納ケース１が形成される。
【００４５】
ブランクＢは、収納ケース１の底面壁１２となる底面パネルＰ１を有し、この底面パネルＰ１に角筒壁体１３の前面壁１３１となる前面パネルＰ２と、後面壁１３２となる後面パネルＰ３が、折り込み線を介してそれぞれ連なっている。前面パネルＰ２には、左側面壁１３３ａとなる左側面パネルＰ４ａと、右側面壁１３３ｂとなる右側面パネルＰ４ｂが、折り込み線を介してそれぞれ連なっている。また、後面パネルＰ３には、左側面パネルＰ４ａと共に左側面壁１３３ａを形成する左側面補強パネルＰ５ａ、および、右側面パネルＰ４ｂと共に右側面壁１３３ｂを形成する右側面補強パネルＰ５ｂが、折り込み線を介してそれぞれ連なっている。左側面補強パネルＰ５ａおよび右側面補強パネルＰ５ｂは、ブランクＢを組み立てる際に、それぞれ左側面パネルＰ４ａおよび右側面パネルＰ４ｂに貼り合される。また、ブランクＢにおける左側面補強パネルＰ５ａおよび右側面補強パネルＰ５ｂには、底面パネルＰ１に貼り合される底面補強フラップＰ６ａ，Ｐ６ｂが、折り込み線を介してそれぞれ連なっている。
【００４６】
また、ブランクＢにおける前面パネルＰ２および後面パネルＰ３には、操作部露出用窓１５となる三方の切り込み２０がそれぞれ形成されている。ブランクＢを組み立てる際、前面パネルＰ２および後面パネルＰ３における三方の切り込み２０によって形成される第２の舌片状フラップ２１を折り返すことで、操作部露出用窓１５が形成される（図９を参照）。
【００４７】
また、ブランクＢにおける左側面パネルＰ４ａ、右側面パネルＰ４ｂ、左側面補強パネルＰ５ａ、および右側面補強パネルＰ５ｂには、パッケージ露出用窓１６となる切り抜き孔Ｈ１〜Ｈ４が形成されている。各切り抜き孔Ｈ１〜Ｈ４は、同一の形状および大きさを有している。ブランクＢの組み立て時に、左側面パネルＰ４ａに左側面補強パネルＰ５ａが貼り合される際、切り抜き孔Ｈ１およびＨ２が重なり合うことで、左側面壁１３３ａのパッケージ露出用窓１６が形成される。同様に、右側面補強パネルＰ５ｂが右側面パネルＰ４ｂに貼り合される際、切り抜き孔Ｈ３およびＨ４が重なり合うことで、右側面壁１３３ｂのパッケージ露出用窓１６が形成される。
【００４８】
更に、ブランクＢにおける前面パネルＰ２には、第２折り込み線Ｌ２を介して第１抜け出し規制部１７ａの被押圧部１７１となる第１被押圧パネルＰ７ａが連なっている。また、ブランクＢの第１被押圧パネルＰ７ａには、第１折り込み線Ｌ１を介して、第１抜け出し規制部１７ａの係止部１７２となる第１係止パネルＰ８ａが連なっている。また、ブランクＢにおける後面パネルＰ３には、第２折り込み線Ｌ２を介して、第２抜け出し規制部１７ｂの被押圧部１７１となる第２被押圧パネルＰ７ｂが連なっている。そして、この第２被押圧パネルＰ７ｂには、第１折り込み線Ｌ１を介して、第２抜け出し規制部１７ｂの係止部１７２となる第２係止パネルＰ８ｂが連なっている。
【００４９】
また、ブランクＢにおける第１係止パネルＰ８ａおよび第２係止パネルＰ８ｂには、第３折り込み線Ｌ３を介して、シート部材１７３となる第１シート部材用パネルＰ９ａおよび第２シート部材用パネルＰ９ｂがそれぞれ連なっている。第１シート部材用パネルＰ９ａおよび第２シート部材用パネルＰ９ｂには、三方の切り込み１９が設けられており、この三方の切り込み１９によって操作部１８が舌片状フラップとして形成されている。
【００５０】
以上のように構成されるブランクＢは、各折り込み線を境に折り込まれ、適所が貼り合されることで収納ケース１として組み立てられる。その際、上記のように左側面補強パネルＰ５ａおよび右側面補強パネルＰ５ｂはそれぞれ左側面パネルＰ４ａおよび右側面パネルＰ４ｂに貼り合される。また、底面補強フラップＰ６ａ，Ｐ６ｂが底面パネルＰ１に貼り合される。また、第２折り込み線Ｌ２を境に、前面パネルＰ２から順次連なっている第１被押圧パネルＰ７ａ、第１係止パネルＰ８ａ、および第１シート部材用パネルＰ９ａを内側に折り返す。また、第２折り込み線Ｌ２を境に、後面パネルＰ３から順次連なっている第２被押圧パネルＰ７ｂ、第２係止パネルＰ８ｂ、および第２シート部材用パネルＰ９ｂを内側に折り返す。そして、前面パネルＰ２および後面パネルＰ３における第２の舌片状フラップ２１をそれぞれ内側に折り返し、第１シート部材用パネルＰ９ａおよび第２シート部材用パネルＰ９ｂに形成された切り込み１９の下縁に第２の舌片状フラップ２１を挿通させることで係合させる。これにより、収納ケース１の組み立てが完了する。
【００５１】
次に、収納ケース１にパッケージ１００を収納する際の動作について説明する。図５、図９等に示すように、パッケージ１００を収納する前の状態において、収納ケース１の抜け出し規制部１７が凸状姿勢に維持されている。この状態から、図８に示すように収納ケース１の挿入口１３ａからパッケージ１００を挿入しようとすると、パッケージ１００の底壁２１４（逆方向の場合には、天壁３１４）が凸状姿勢にある抜け出し規制部１７の被押圧部１７１に衝突し、被押圧部１７１を押圧する。そうすると、被押圧部１７１と係止部１７２とがなす角度が広がる方向にこれらが第１折り込み線Ｌ１を中心に相対回動し、抜け出し規制部１７が全体として平坦な姿勢になる。つまり、抜け出し規制部１７の被押圧部１７１がパッケージ１００の底壁２１４（天壁３１４）によって押し広げられ、抜け出し規制部１７が凸状姿勢から平坦姿勢に切り替えられる。
【００５２】
その結果、挿入口１３ａの有効断面が確保され、図８に示すように、収納ケース１の収納部１４にパッケージ１００を挿入させることができるようになる。なお、本実施形態に係る収納ケース１は、上記の通り、抜け出し規制部１７（第１抜け出し規制部１７ａ、第２抜け出し規制部１７ｂ）における被押圧部１７１が、第２折り込み線Ｌ２側の辺よりも第１折り込み線Ｌ１側の辺の方が短い台形状を有している。そのため、被押圧部１７１、係止部１７２、シート部材１７３の幅寸法が、角筒壁体１３の幅寸法よりも若干小さくなっている。これにより、収納ケース１の挿入口１３ａからパッケージ１００を挿入して抜け出し規制部１７の姿勢を凸状姿勢から平坦姿勢に切り替える際に、角筒壁体１３の内壁面（具体的には、左側面壁１３３ａおよび右側面壁１３３ｂの内面）に、被押圧部１７１、係止部１７２、シート部材１７３等の端部が接触することを回避することができる。その結果、凸状姿勢から平坦姿勢への抜け出し規制部１７の円滑な切り替えが阻害されることを抑制することが可能となる。
【００５３】
そして、図７に示すように、パッケージ１００の底壁２１４（天壁３１４）が収納ケース１の底面壁１２まで到達し、パッケージ１００が収納部に完全に収納されると、パッケージ１００による抜け出し規制部１７における被押圧部１７１の押圧状態が解除される。その結果、図７に示すように、第１折り込み線Ｌ１を境に折り込まれている被押圧部１７１および係止部１７２間の反発力によって抜け出し規制部１７が平坦姿勢から凸状姿勢に自動的に戻り、パッケージ１００が抜け出し規制部１７の係止部１７２によって係止される。
【００５４】
次に、収納ケース１の収納部１４からパッケージ１００を取り出す際の動作について説明する。この場合、図１０に示すように、使用者は、収納ケース１の操作部露出用窓１５を通じて露出している操作部１８を下方、即ち底面壁１２側に向けて押し下げる操作を行う。ここで、抜け出し規制部１７の操作部１８は、パッケージ１００（パッケージ本体２００）の前壁２１１（後壁２１２）に沿って配置されているため、操作部１８を前壁２１１（後壁２１２）に押し付けつつ、操作部１８を下方に滑らすことで、操作部１８を容易に下方に引っ張ることができる。
【００５５】
操作部１８を下方に押し下げる操作が行われると、シート部材１７３の全体が底面壁１２側に向けてスライドし、シート部材１７３と接続される抜け出し規制部１７の係止部１７２が下方に引っ張られるようになる。その結果、抜け出し規制部１７の被押圧部１７１と係止部１７２とのなす角度が広がり、抜け出し規制部１７が凸状姿勢から平坦姿勢に切り替わる。その結果、挿入口１３ａの有効断面が広がり、収納部１４からのパッケージ１００の抜け出しが許容される状態になる。即ち、収納ケース１における抜け出し規制部１７の係止部１７２による、パッケージ１００の係止が解除された状態となる。
【００５６】
なお、本実施形態に係る収納ケース１のシート部材１７３は、三方の切り込み１９によって他の領域と切り離された舌片状フラップとして操作部１８が形成され、且つ、切り込み１９の位置を操作部露出用窓１５の縁部近傍に配置するようにした。これによれば、操作部露出用窓１５を通じて操作部１８を押した際に、前壁２１１（後壁２１２）に対して操作部１８をフィットさせやくなる。その結果、操作部１８をスムーズに押し下げることができ、抜け出し規制部１７を容易に凸状姿勢から平坦姿勢に切り替えることができるという利点がある。
【００５７】
その後、使用者は、収納ケース１に形成されたパッケージ露出用窓１６を通じて露出するパッケージ１００の側壁２１３にアクセスし、パッケージ１００を上方に向かってスライドさせ、パッケージ１００を挿入口１３ａから突出させることができる。その後は、例えば図１０に示すように、パッケージ１００を直接把持し、収納ケース１から引き抜くことができる。
【００５８】
更に、図９に示したように、収納ケース１の前面壁１３１（後面壁１３２）に設けられた三方の切り込み２０によって形成された第２の舌片状フラップ２１を収納部１４側に折り返すことで操作部露出用窓１５を形成し、この第２の舌片状フラップ２１を、シート部材１７３における切り込み１９に挿通させることで係合させるようにした。これによれば、シート部材１７３の上方へのスライド量を所定範囲内に制限することができる。
【００５９】
仮に、抜け出し規制部１７を凸状姿勢から平坦姿勢に切り替えることなく、収納部１４に収納されたパッケージ１００を抜き出そうとした場合を考える。この場合、抜け出し規制部１７は凸状姿勢に維持されているため、抜け出し規制部１７の係止部１７２によってパッケージ１００の天壁３１４（底壁２１４）が係止されている。しかしながら、パッケージ１００を大きな力で上方にスライドさせようとすると、抜け出し規制部１７が凸状姿勢から平坦姿勢へと強制的に切り替えられてしまう虞がある。
【００６０】
これに対して、図９に示す状態では、第２の舌片状フラップ２１の基端側に位置する折返し部２１ａと、シート部材１７３における切り込み１９の下縁１７３ａとの間には所定のクリアランス（隙間）が設けられている。図１２Ａは、図９に示す状態における第２の舌片状フラップ２１の折返し部２１ａとシート部材１７３における切り込み１９の下縁１７３ａとの相対関係を示す図である。
【００６１】
図１２Ａに示す状態から、パッケージ露出用窓１６を通じてパッケージ１００を上方にスライドさせると、パッケージ１００の天壁３１４（底壁２１４）によって抜け出し規制部１７の係止部１７２が上方に押し上げられ、シート部材１７３が上方にスライドする。その結果、図１２Ｂに示すように、シート部材１７３における切り込み１９の下縁１７３ａと第２の舌片状フラップ２１の折返し部２１ａの間のクリアランスが零になる。そうすると、シート部材１７３における切り込み１９の下縁１７３ａに第２の舌片状フラップ２１の折返し部２１ａが当接し、それ以上の、シート部材１７３の上方へのスライドが規制される。これにより、抜け出し規制部１７が強制的に凸状姿勢から平坦姿勢へと切り替わってしまうことを抑制することができ、パッケージ１００が収納部１４から強引に引き抜かれることを抑制できる。
【００６２】
なお、本実施形態における収納ケース１によれば、パッケージ１００を収納部１４に収納した状態において、シート部材１７３がパッケージ１００の前壁２１１および後壁２１２に接触している。したがって、例えば衣服のポケットや鞄の中でパッケージ１００が収納ケース１における収納部１４内で上方に移動しようとした際に、接触状態にあるパッケージ１００側の前壁２１１（後壁２１２）と収納ケース１側のシート部材１７３との間の摩擦力によって、シート部材１７３を上方に押し上げようとする力がシート部材１７３に作用する。このように、シート部材１７３を上方に押し上げようとする力は、抜け出し規制部１７の姿勢を凸状姿勢に維持しようとする方向に働くため、収納部１４からの不所望なパッケージ１００の飛び出しをより一層好適に抑制することができる。したがって、シート部材１７３の長さを長くするほど、パッケージ１００の外面とシート部材１７３との接触面積を増やし、双方間の摩擦力を増大させることができるため、収納部１４からの不所望なパッケージ１００の飛び出しを抑制する観点から好ましい。
【００６３】
以上より、本実施形態における収納ケース１によれば、パッケージ１００を収納部１４に収容することで、蓋部３００が不用意に開くことを抑制できる。よって、パッケージ１００に収容されるシガレットが鞄やポケットの中に落下したり、シガレットのたばこ刻がこぼれ落ちたりすることを抑制できる。また、収納ケース１は、板紙や樹脂材料など、比較的安価な材料から容易に組み立てることができる。
【００６４】
なお、本実施形態に係る収納ケース１においては、角筒壁体１３において一対の対向する面のそれぞれに操作部露出用窓１５を設けているので、例えば、収納ケース１を把持する手の親指で第１抜け出し規制部１７ａの操作部１８を下方にスライドさせると同時に、中指等で第２抜け出し規制部１７ｂの操作部１８を下方にスライドさせることができる。このようにして、本実施形態によれば、操作部１８の押し下げ操作、即ち、抜け出し規制部１７の姿勢の切り替えを円滑に行うことができる。同様に、収納ケース１によれば、角筒壁体１３において一対の対向する面のそれぞれにパッケージ露出用窓１６を設けているので、パッケージ１００の押し上げ操作を円滑に行うことができる。
【００６５】
＜変形例＞
但し、収納ケース１は、種々の変形例を採用することができる。例えば、図１３に示す変形例１に係る収納ケース１のように、角筒壁体１３の挿入口１３ａにおける一対の短辺、即ち、一対の側面壁１３３の上端縁に抜け出し規制部１７を付設してもよい。
【００６６】
勿論、収納ケース１は、複数の抜け出し規制部１７を設ける必要は無く、図１４に示す変形例２に係る収納ケース１のように、挿入口１３ａに単一の抜け出し規制部１７を設けるようにしてもよい。また、操作部露出用窓１５やパッケージ露出用窓１６を設置する数や位置は特に限定されない。例えば、操作部露出用窓１５やパッケージ露出用窓１６を、収納ケース１の底面壁１２に形成してもよい。例えば、収納ケース１の底面壁１２に操作部露出用窓１５を設ける場合には、操作部１８をスライドさせつつ上方に押すことで、パッケージ１００を押し上げることも可能である。この場合、パッケージ露出用窓１６の機能を操作部露出用窓１５に併せ持たせることができ、操作部露出用窓１５とは別の開口窓を通じてパッケージ１００を押し上げる操作が不要となり、より一段と簡単な操作で収納ケース１の収納部１４からパッケージ１００を取り出すことができる。
【００６７】
また、角筒壁体１３における任意の一面の上端縁（例えば、前面壁１３１）に抜け出し規制部１７を付設すると共に当該面（例えば、前面壁１３１）に操作部露出用窓１５を設け、当該面（例えば、前面壁１３１）に対向する面（例えば、後面壁１３２）にパッケージ露出用窓１６を設けてもよい。これによれば、片手で、収納部１４に収納されているパッケージ１００を収納ケース１から取り出すことができる。
【００６８】
また、本実施形態における収納ケース１においては、抜け出し規制部１７が凸状姿勢のときに角筒壁体１３の内側に向かって突出する形状として山形状又は三角形状を採用しているが、これには限られず、丸形状や四角形状を採用してもよい。
【００６９】
なお、収納ケース１の抜き出し規制部１７が凸状姿勢にあるときには、図１に示すように、収納ケース１の収納部１４内に収納されたパッケージ１００の上壁（図１に示す例では、蓋部３００の天壁３１４）に対して係止部１７２が対向し、水平な姿勢となるように係止部１７２が構成されていることが好ましい。これにより、収納ケース１の収納部１４からのパッケージ１００の飛び出しを好適に抑制することができる。更に、収納ケース１の抜き出し規制部１７が凸状姿勢にあるときにおいて、図５に示すように、被押圧部１７１がパッケージ１００の底面（図５に示す例では、パッケージ本体２００の底壁２１４）に対して傾斜した姿勢となるように被押圧部１７１が構成されていることが好ましい。これにより、収納ケース１の挿入口１３ａからパッケージ１００をより一層容易に挿入することができる。
【００７０】
以上、本発明の好適な実施形態を説明したが、本発明に係るヒンジリッド付き箱型パッケージの収納ケースは、可能な限り実施形態および各変形例を組み合わせて実施することができる。また、収納ケースに収納するヒンジリッド付き箱型パッケージに収容する被収容物は特に限定されない。また、本発明に係る収納ケースは、ヒンジリッドを備えていない他の箱型ハードパッケージに適用してもよい。このような箱型ハードパッケージとしては、開口端を有した略直方体形状の外箱と、外箱に対してスライド自在に保持され、被収容物を収容する略直方体形状の内箱とからなり、内箱を外箱から引き出した際に該内箱における被収容物の取り出し口が外部に露出するように構成されたスライドボックス型パッケージ等が挙げられる。
【符号の説明】
【００７１】
１・・・収納ケース
１２・・・底面壁
１３・・・角筒壁体
１３ａ・・・挿入口
１４・・・収納部
１５・・・操作部露出用窓
１６・・・パッケージ露出用窓
１７・・・抜け出し規制部
１７１・・・被押圧部
１７２・・・係止部
１７３・・・シート部材
１００・・・パッケージ
２００・・・パッケージ本体
２１０・・・アウタボックス
３００・・・蓋部
【図１】
0006488495.tif 000002
【図２】
0006488495.tif 000003
【図３】
0006488495.tif 000004
【図４】
0006488495.tif 000005
【図５】
0006488495.tif 000006
【図６】
0006488495.tif 000007
【図７】
0006488495.tif 000008
【図８】
0006488495.tif 000009
【図９】
0006488495.tif 000010
【図１０】
0006488495.tif 000011
【図１１】
0006488495.tif 000012
【図１２Ａ】
0006488495.tif 000013
【図１２Ｂ】
0006488495.tif 000014
【図１３】
0006488495.tif 000015
【図１４】
0006488495.tif 000016